(57)【要約】  【課題】  バッテリー電力の無駄な消費を抑制し、消費電力を節減することのできる低消費電力のワイヤレスマイクロホン装置を提供する。  【解決手段】  ワイヤレスマイクロホン装置１は、所定の内部情報を表示する内部情報表示部３と、音声信号検出部６と、表示切替え部８とを備える。ワイヤレスマイクロホン装置１に入力された音声信号が音声信号検出部６により検出されると、表示切替え部８により内部情報表示部３が表示状態から非表示状態へ切り替えられ、消費電力が節減される。【選択図】  図１
2006319615.tif 000002
【特許請求の範囲】
【請求項１】
所定の内部情報を表示する内部情報表示手段と、
入力された音声信号を検出する音声信号検出手段と、
前記音声信号検出手段により前記音声信号を検出した場合に前記内部情報表示手段を表示状態から非表示状態へ切り替える表示切替え手段と、
を備えたことを特徴とするワイヤレスマイクロホン装置。
【請求項２】
前記音声信号検出手段は、
前記音声信号を所定の時定数で積分処理する積分処理手段と、
前記積分処理手段から出力される積分出力信号と所定の閾値とを比較して音声信号を検出したか否かの判別を行う検出判別手段と、
を備えたことを特徴とする請求項１に記載のワイヤレスマイクロホン装置。
【請求項３】
前記音声信号検出手段は、
前記積分出力信号の増加減少傾向に応じて前記時定数の切替えを行う時定数切替え手段を備えたことを特徴とする請求項２に記載のワイヤレスマイクロホン装置。
【請求項４】
バッテリー残量を検出するバッテリー残量検出手段を備え、
前記時定数切替え手段は、さらに前記バッテリー残量検出手段により検出されたバッテリー残量に応じて前記時定数の切替えを行うことを特徴とする請求項３に記載のワイヤレスマイクロホン装置。
【発明の詳細な説明】
【技術分野】
【０００１】
本発明は、低消費電力のワイヤレスマイクロホン装置に関するものである。
【背景技術】
【０００２】
カラオケなどに使用されるワイヤレスマイクロホンは、持運びの利便性などのワイヤレス式の長所を生かすために、ワイヤレスマイクロホンの本体の内部に備えられたバッテリーを電源としている。ところが、バッテリーに蓄えられる電力量には限りがあるため、ワイヤレスマイクロホンの消費電力の節減を図る必要がある。
【０００３】
例えば、従来のワイヤレスマイクロホンは、本体の上下に配置された二つの赤外線通信部を有している。そして、これら二つの赤外線通信部のオン・オフを使用者のグリップ位置に応じて制御する。これにより、従来のワイヤレスマイクロホンでは、電池の消費電力を低減している（例えば特許文献１参照）。
【０００４】
ところで、従来、ワイヤレスマイクロホンの本体に内部情報表示部が設けられたものが使用されている。この内部情報表示部は、ワイヤレスマイクロホンの種々の内部情報（例えば周波数情報やバッテリー電圧情報など）を表示するものである。そして、ワイヤレスマイクロホンの消費電力量全体のうちで、この内部情報表示部の消費電力量が占める割合は比較的大きい場合が少なくない。
【特許文献１】特開平１１−２１５０６３号公報（第３−４頁、第１図）
【発明の開示】
【発明が解決しようとする課題】
【０００５】
しかしながら、従来のワイヤレスマイクロホンでは、内部情報表示部の表示のオン・オフを切替えることができない。したがって、使用者がワイヤレスマイクロホンを使用している間、使用者は内部情報表示部の表示を見ていないことが多いにもかかわらず、内部情報表示部には内部情報が表示されることになる。その結果、従来のワイヤレスマイクロホンでは、バッテリーの電力を無駄に消費してしまうことがあるという問題があった。
【０００６】
本発明は、上記従来の問題を解決するためになされたもので、バッテリー電力の無駄な消費を抑制し、消費電力を節減することのできる低消費電力のワイヤレスマイクロホン装置を提供することを目的とする。
【課題を解決するための手段】
【０００７】
本発明のワイヤレスマイクロホン装置は、所定の内部情報を表示する内部情報表示手段と、入力された音声信号を検出する音声信号検出手段と、前記音声信号検出手段により前記音声信号を検出した場合に前記内部情報表示手段を表示状態から非表示状態へ切り替える表示切替え手段とを備えた構成を有している。
【０００８】
この構成により、使用者がワイヤレスマイクロホン装置を使用している間は、ワイヤレスマイクロホン装置に入力された音声信号が音声信号検出手段によって検出される。そして、音声信号が検出されると、内部情報表示手段が表示状態から非表示状態へ切り替えられる。したがって、内部情報を使用者がほとんど見ていない場合に、あまり必要がないにもかかわらず内部情報表示手段が表示状態とされている時間が短くなり、バッテリーの電力の消費を低減できる。
【０００９】
また、本発明のワイヤレスマイクロホン装置では、前記音声信号検出手段は、前記音声信号を所定の時定数で積分処理する積分処理手段と、前記積分処理手段から出力される積分出力信号と所定の閾値とを比較して音声信号を検出したか否かの判別を行う検出判別手段とを備えた構成を有している。
【００１０】
この構成により、ワイヤレスマイクロホン装置に入力された音声信号を所定の時定数で積分処理し、その積分出力信号を所定の閾値と比較して音声信号の検出を行うことができる。この積分出力信号の波形は、音声信号の波形に比べて増減変化が少ない滑らかな波形になる。すなわち、音声信号の入力が短時間に激しく変動した場合であっても、積分出力信号の変動は比較的緩やかになる。したがって、積分出力信号を閾値と比較して音声信号を検出することにより、内部情報表示手段の表示状態と非表示状態の切替えが短時間に頻繁に行われるのを抑制する。これにより、内部情報表示手段の表示・非表示状態の頻繁な切替えによって生じるちらつきの発生を抑えることができる。
【００１１】
さらに、本発明のワイヤレスマイクロホン装置では、前記音声信号検出手段は、前記積分出力信号の増加減少傾向に応じて前記時定数の切替えを行う時定数切替え手段を備えた構成を有している。
【００１２】
この構成により、積分出力信号の増加減少傾向に応じた内部情報表示手段の表示・非表示状態の切替えが可能となる。例えば、積分出力信号が増加傾向にある場合には、減少傾向にある場合に比べて時定数を大きく設定する。これにより、使用者が話しを始めて音声入力が連続して安定に行われている場合には、使用者が話し始めてから少し時間が経過した後に積分出力信号が閾値を超える。したがって、使用者が話しを始めたときには、適度に時間が経過してから内部情報表示手段が表示状態から非表示状態に切り替えられる。一方、積分出力信号が減少傾向にある場合には、増加傾向にある場合に比べて時定数を小さく設定する。これにより、使用者が話しを中断して音声入力が途絶えた場合には、使用者が話しを中断した後すぐに積分出力信号が閾値よりも小さくなる。したがって、使用者が話を中断して内部情報の表示を見ようとしたときには、即座に内部情報表示手段が非表示状態から表示状態に切り替えられる。
【００１３】
さらに、本発明のワイヤレスマイクロホン装置では、バッテリー残量を検出するバッテリー残量検出手段を備え、前記時定数切替え手段は、さらに前記バッテリー残量検出手段により検出されたバッテリー残量に応じて前記時定数の切替えを行うように構成されている。
【００１４】
この構成により、バッテリーの残量を考慮した消費電力の節減が可能となる。例えば、バッテリー残量が少ない場合には、バッテリー残量が多い場合に比べて時定数を小さく設定する。これにより、バッテリーが残り少ない場合に消費電力をより効果的に節減することができる。
【発明の効果】
【００１５】
本発明は、ワイヤレスマイクロホン装置に入力された音声信号を検出する音声信号検出手段と、音声信号検出手段により音声信号を検出した場合に内部情報表示手段を表示状態から非表示状態へ切り替える表示切替え手段とを設けることにより、バッテリーの電力を無駄に消費する機会が低減して、消費電力を節減できるという効果を有するワイヤレスマイクロホン装置を提供することができるものである。
【発明を実施するための最良の形態】
【００１６】
以下、本発明の実施の形態のワイヤレスマイクロホン装置について、図面を用いて説明する。本実施の形態では、カラオケや講演会場などで使用されるハンドヘルド型のワイヤレスマイクロホン装置の場合を例示して説明する。
【００１７】
（第１の実施の形態）
本発明の第１の実施の形態のワイヤレスマイクロホン装置１を図１および図２に示す。まず、図２はワイヤレスマイクロホン装置１の外観を示している。ワイヤレスマイクロホン装置１は筒型の筐体を有する。特に図示しないが、その筐体には、音声が入力されるマイクロホンと、マイクロホンに入力された音声を音声信号にアナログ・デジタル変換するＡＤ変換機と、ＡＤ変換機によりデジタル変換された音声信号をワイヤレスマイク受信装置に送信する送信装置が備えられている。また、ワイヤレスマイクロホン装置１は、ワイヤレスマイク受信装置への送信周波数を設定変更するためのロータリースイッチと、設定変更された送信周波数情報を記憶するための記憶部と、電源のオン・オフを手動で切り替えるための電源スイッチなどを備えている。また、図２に示すように、ワイヤレスマイクロホン装置１の本体２の中央部には、内部情報表示部３の液晶表示画面４が設けられており、本体２の上部には、マイクロホンを内部に有するマイクヘッド５が設けられている。
【００１８】
つぎに、図１を用いて、本発明の要部であるワイヤレスマイクロホン装置１における内部情報表示機能に関連する構成について説明する。ワイヤレスマイクロホン装置１は、ワイヤレスマイクロホン装置１の種々の内部情報を表示する内部情報表示部３と、ワイヤレスマイクロホン装置１に入力された音声信号を検出する音声信号検出部６と、音声信号検出部６の検出結果に応じてバッテリー７から内部情報表示部３への電力供給のオン・オフを切り替える表示切替え部８とを有している。ここで、ワイヤレスマイクロホン装置１の種々の内部情報は、例えば、ワイヤレスマイク受信機への送信周波数情報や、バッテリー７の電圧情報などである。また、本実施の形態では、音声信号検出部６は、ワイヤレスマイクロホン装置１に入力された音声信号を所定の閾値レベルＬｓと比較して、音声信号のレベルが閾値レベルＬｓを超えた場合には、音声信号を検出したと判別するように構成されている。
【００１９】
以上のように構成されたワイヤレスマイクロホン装置１について、図３を用いてその動作を説明する。本発明の第１の実施の形態のワイヤレスマイクロホン装置１を用いて使用者が話しなどをする場合、使用者はワイヤレスマイクロホン装置１の本体２を握り、マイクヘッド５に向けて発声する。このとき、本体２の中央部に設けられた内部情報表示部３の液晶表示画面４は、使用者の手Ｈによって覆われることになる。しかも、使用者はマイクヘッド５を自分の口に近づけて発声している。したがって、使用者がワイヤレスマイクロホン装置１を使用している間は、マイクヘッド５よりも下部に位置する液晶表示画面４を使用者が自分で見ることはほとんどない。そこで、このような場合には、下記のようにして内部情報表示部３の非表示状態への切替えが行われる。
【００２０】
すなわち、ワイヤレスマイクロホン装置１を用いて使用者が話しをする場合、マイクロホンから入力された音声はＡＤ変換機によって音声信号に変換される。音声信号のレベルが閾値レベルＬｓを超えると、音声信号が音声信号検出部６によって検出される。音声信号検出部６によって音声信号が検出されると、音声信号検出部６から表示切替え部８にオフ信号が送られる。オフ信号を受けとった表示切替え部８は、バッテリー７から内部情報表示部３の液晶表示画面４への電力供給をオフにする。そして、バッテリー７からの電力供給が切断された液晶表示画面４は消灯する。このようにして内部情報表示部３は非表示状態となる。
【００２１】
一方、ワイヤレスマイクロホン装置１の不使用時の場合、例えば使用者が話しを中断して内部情報の確認をする場合、使用者はマイクヘッド５へ向けた発声を中断し、マイクヘッド５を自分の口から遠ざける。そして、内部情報表示部３の液晶表示画面４が使用者の手Ｈによって覆われていた場合には、使用者は覆っていた手Ｈを退けて液晶表示部を露出させ、液晶表示画面４を見ようとする。このような場合には、下記のようにして内部情報表示部３の表示状態への切替えが行われる。
【００２２】
この場合には、ワイヤレスマイクロホン装置１のマイクロホンには音声が入力されない。そのため、音声信号のレベルは閾値レベルＬｓよりも小さくなり、音声信号が音声信号検出部６によって検出されない。音声信号検出部６によって音声信号が検出されない場合には、音声信号検出部６から表示切替え部８にオン信号が送られる。オン信号を受けとった表示切替え部８は、バッテリー７から内部情報表示部３の液晶表示画面４への電力供給をオンにする。バッテリー７からの電力供給が行われた液晶表示画面４は点灯する。このようにして内部情報表示部３は表示状態となる。そして、使用者は液晶表示画面４を見て、ワイヤレスマイクロホン装置１の内部情報を確認することができる。
【００２３】
このような発明の第１の実施の形態のワイヤレスマイクロホン装置１によれば、音声信号検出部６と表示切替え部８を設けることにより、使用者がワイヤレスマイクロホン装置１を使用している間は、ワイヤレスマイクロホン装置に入力された音声信号が音声信号検出部６によって検出される。そして、音声信号が検出されると、バッテリー７から内部情報表示部３の液晶表示画面４への電力供給がオンからオフへ切り替えられ、内部情報表示部３の液晶表示画面４が消灯する。
【００２４】
上記のように、使用者がワイヤレスマイクロホン装置１を使用している間は、使用者が液晶表示画面４をほとんど見ることがない。そのため、内部情報表示部３の液晶表示画面４を点灯させて表示状態とする必要はほとんどない。このような場合に、本実施の形態のワイヤレスマイクロホン装置１では、あまり必要がないにもかかわらず内部情報表示部３が表示状態とされている時間を短縮することができ、バッテリー７の電力の無駄な消費を低減できる。これにより、ワイヤレスマイクロホン装置１の消費電力を節電することができ、バッテリー７の寿命が短くなるのを抑制することが可能となる。
【００２５】
（第２の実施の形態）
次に、本発明の第２の実施の形態のワイヤレスマイクロホン装置１のブロック図を図４に示す。本実施の形態のワイヤレスマイクロホン装置１は、前実施の形態のワイヤレスマイクロホン装置１の音声信号検出部６に、積分処理機能と時定数切替え機能がさらに追加されたものである。ここでは、本実施の形態で追加された積分処理機能と時定数切替え機能を中心に説明することとし、前実施の形態と同様の構成については説明を省略する。
【００２６】
本実施の形態のワイヤレスマイクロホン装置１の音声信号検出部６は、ワイヤレスマイクロホン装置１に入力された音声信号を所定の時定数τで積分処理する積分処理部９と、積分処理部９から出力される積分出力信号の出力レベルと所定の閾値レベルＬｓとを比較して音声信号を検出したか否かの判別を行う検出判別部１０と、バッテリー７の残量を検出するバッテリー残量検出部１１と、積分出力信号の出力レベルの増加傾向・減少傾向に応じて時定数τの切替えを行う時定数切替え部１２とを備えている。この場合、時定数切替え部１２は、バッテリー残量検出部１１により検出されたバッテリー残量に応じても時定数τの切替えを行うように構成されている。
【００２７】
図５は、積分処理部９の説明図である。本実施の形態では、積分処理部９としてデジタルフィルターが使用され、例えば、図５に示すような一次のＩＩＲフィルターが使用される。ここで、係数ａおよびｂは、ａ＋ｂ＝１を満足するようにそれぞれ設定されており、積分処理部９は、所定の時定数τで収束するように構成されている。このように、積分処理部９は、積分処理部９に入力された音声信号を、増幅率１（＝ａ＋ｂ）で積分処理して、積分出力信号として検出判別部１０および時定数切替え部１２へ出力するように構成されている（図４参照）。
【００２８】
検出判別部１０は、積分出力信号の出力レベルが所定の閾値レベルＬｓ以上の場合には、音声信号を検出したと判別し、積分出力信号の出力レベルが所定の閾値レベルＬｓより小さい場合には、音声信号を検出しなかったと判別するように構成されている（図７参照）。
【００２９】
時定数切替え部１２には、積分処理部９の積分出力信号が入力される（図４参照）。時定数切替え部１２は、積分出力信号の出力レベルが増加傾向にある場合には、時定数τを長く設定し、一方、積分出力信号の出力レベルが減少傾向にある場合には、時定数τを短く設定するように構成されている。より詳細には、時定数切替え部１２は、積分出力信号が増加しているとき（積分出力信号の傾きが正のとき）、積分出力信号の出力レベルが増加傾向にあると判定する。また、時定数切替え部１２は、積分出力信号が減少しているとき（積分出力信号の傾きが負のとき）、積分出力信号の出力レベルが減少傾向にあると判定する（図７参照）。
【００３０】
また、時定数切替え部１２は、バッテリー残量検出部１１により検出されたバッテリー残量が所定の値よりも多い場合には、時定数τを長く設定し、一方、バッテリー残量検出部１１により検出されたバッテリー残量が所定の値以下の場合には、時定数τを短く設定するように構成されている。なお、なお、バッテリー残量検出部１１には、例えば、図示されないバッテリーの電圧を入力され、電圧値に基づいてバッテリー残量が検出される。
【００３１】
例えば、本実施の形態では、図６に示すように、バッテリー残量が多い場合の時定数τ１は、積分出力信号の出力レベルが増加傾向にあるときには１０００ｍｓに設定されており、積分出力信号の出力レベルが減少傾向にあるときには５０ｍｓに設定されている。また、バッテリー残量が少ない場合の時定数τ２は、積分出力信号の出力レベルが増加傾向にあるときには１００ｍｓに設定されており、積分出力信号の出力レベルが減少傾向にあるときには５０ｍｓに設定されている。
【００３２】
以上のように構成されたワイヤレスマイクロホン装置１について、図７を用いてその動作を説明する。ここでは、本実施の形態で追加された積分処理機能と時定数切替え機能の動作を中心に説明し、前実施の形態と同様の動作については説明を省略する。
【００３３】
まず、バッテリー残量が多い場合における本実施の形態のワイヤレスマイクロホン装置１の動作について説明する。ワイヤレスマイクロホン装置１を用いて使用者が話しをする場合、図７の一段目のグラフに示すような音声信号が、ワイヤレスマイクロホン装置１の音声信号検出部６に入力される。本実施の形態では、音声信号は、まず音声信号検出部６の積分処理部９に入力される。
【００３４】
つぎに、積分処理部９に入力された音声信号は、増幅率１（＝ａ＋ｂ）で積分処理されて、積分出力信号として検出判別部１０および時定数切替え部１２へ出力される。この場合、バッテリー残量検出部１１により検出されるバッテリー残量は所定の値よりも多いので、時定数切替え部１２により時定数τが積分時間の長い時定数τ１に設定されている。そして、積分出力信号の出力レベルが増加傾向にある場合には、時定数切替え部１２により時定数τ１は１０００ｍｓに設定される。一方、積分出力信号の出力レベルが減少傾向にある場合には、時定数切替え部１２により時定数τ１は５０ｍｓに設定される。したがって、図７の二段目のグラフに示すように、積分出力信号の波形は、積分出力信号が増加傾向にある場合には緩やかな傾きの波形となり、積分出力信号が減少傾向にある場合には急な傾きの波形となる。また、このとき、積分出力信号の波形は、音声信号の波形よりも滑らかな波形になる。
【００３５】
このように積分処理された積分出力信号は検出判別部１０に入力される。検出判別部１０は、積分出力信号の出力レベルを所定の閾値レベルＬｓと比較する。積分出力信号の出力レベルが所定の閾値レベルＬｓ以上である場合には、検出判別部１０は音声信号を検出したと判別する。
【００３６】
そして、検出判別部１０により音声信号を検出したと判別された場合には、検出判別部１０から表示切替え部８にオフ信号が送られる。オフ信号を受けとった表示切替え部８は、バッテリー７から内部情報表示部３の液晶表示画面４への電力供給をオフにする。そして、バッテリー７からの電力供給が切断された液晶表示画面４は消灯する。このようにして内部情報表示部３は非表示状態となる（図７の三段目のグラフ参照）。
【００３７】
このとき、積分出力信号の出力レベルが増加傾向にあれば、時定数τ１の積分時間は１０００ｍｓと長く設定される。その場合、積分出力信号の出力レベルは緩やかに増加し、使用者が話し始めてから少し時間が経過した後に、積分出力信号の出力レベルが閾値レベルＬｓを超える（図７参照）。すなわち、音声信号レベルが閾値レベルＬｓを超えたときから少し遅れて、積分出力信号の出力レベルが閾値レベルＬｓを超える。したがって、使用者が話しを始めたときには、しばらく時間が経過してから内部情報表示部３が非表示状態になる。
【００３８】
一方、積分出力信号の出力レベルが所定の閾値レベルＬｓより小さい場合には、検出判別部１０は音声信号を検出しなかったと判別する。そして、検出判別部１０により音声信号を検出しなかったと判別された場合、例えば使用者が話しを中断して内部情報の確認をする場合には、検出判別部１０から表示切替え部８にオン信号が送られる。オン信号を受けとった表示切替え部８は、バッテリー７から内部情報表示部３の液晶表示画面４への電力供給をオンにする。バッテリー７からの電力供給が行われた液晶表示画面４は点灯する。このようにして内部情報表示部３は表示状態となる（図７の三段目のグラフ参照）。そして、使用者は液晶表示画面４を見て、ワイヤレスマイクロホン装置１の内部情報を確認することができる。
【００３９】
このとき、積分出力信号の出力レベルが減少傾向にあれば、時定数τ１の積分時間は５０ｍｓと短く設定されている。その場合、積分出力信号の出力レベルは急激に減少し、使用者が話しを止めるとすぐに、積分出力信号の出力レベルが閾値レベルＬｓより低くなる（図７参照）。すなわち、音声信号レベルが閾値レベルＬｓより低くなるのとほぼ同時に、積分出力信号の出力レベルが閾値レベルＬｓより低くなる。したがって、使用者が話しを止めたときには、すぐに内部情報表示部３が表示状態になる。
【００４０】
次に、バッテリー残量が少ない場合における本実施の形態のワイヤレスマイクロホン装置１の動作について説明する。この場合、バッテリー残量検出部１１により検出されるバッテリー残量は所定の値よりも少ないので、時定数切替え部１２により時定数τが積分時間の短い時定数τ２に切り替えられている。そして、積分出力信号の出力レベルが増加傾向にある場合には、時定数切替え部１２により時定数τ２は１００ｍｓに設定される。一方、積分出力信号の出力レベルが減少傾向にある場合には、時定数切替え部１２により時定数τ２は５０ｍｓに設定される。したがって、図７の四段目のグラフに示すように、積分出力信号の波形は、積分出力信号の出力レベルが減少傾向にある場合だけでなく、増加傾向にある場合にも急な傾きの波形となる。
【００４１】
そして、上記の場合と同様にして、検出判別部１０により音声信号を検出したと判別された場合には、検出判別部１０から表示切替え部８にオフ信号が送られる。オフ信号を受けとった表示切替え部８は、バッテリー７から内部情報表示部３の液晶表示画面４への電力供給をオフにする。そして、バッテリー７からの電力供給が切断された液晶表示画面４は消灯して、内部情報表示部３は非表示状態となる（図７の五段目のグラフ参照）。
【００４２】
このとき、積分出力信号の出力レベルが増加傾向にあっても、バッテリー残量の多い場合に比べると、時定数τ２の積分時間は１００ｍｓと短く設定される。そのため、積分出力信号の出力レベルは急激に増加し、使用者が話し始めるとすぐに、積分出力信号の出力レベルが閾値レベルＬｓを超える（図７参照）。すなわち、音声信号レベルが閾値レベルＬｓを超えるのとほぼ同時に、積分出力信号の出力レベルが閾値レベルＬｓを超える。したがって、使用者が話しを始めたときにも、すぐに内部情報表示部３が非表示状態になる。
【００４３】
一方、検出判別部１０により音声信号を検出しなかったと判別された場合、例えば使用者が話しを中断して内部情報の確認をする場合には、上記の場合と同様にして、検出判別部１０から表示切替え部８にオン信号が送られる。オン信号を受けとった表示切替え部８は、バッテリー７から内部情報表示部３の液晶表示画面４への電力供給をオンにする。バッテリー７からの電力供給が行われた液晶表示画面４は点灯し、内部情報表示部３は表示状態となる（図７の五段目のグラフ参照）。そして、使用者は液晶表示画面４を見て、ワイヤレスマイクロホン装置１の内部情報を確認することができる。
【００４４】
このとき、積分出力信号の出力レベルが減少傾向にあれば、上記の場合と同様に、時定数τ２の積分時間が５０ｍｓと短く設定されている。そのため、積分出力信号の出力レベルは急激に減少し、使用者が話しを止めるとすぐに、積分出力信号の出力レベルが閾値レベルＬｓより低くなる（図７参照）。すなわち、音声信号レベルが閾値レベルＬｓより低くなるのとほぼ同時に、積分出力信号の出力レベルが閾値レベルＬｓより低くなる。したがって、使用者が話しを止めたときには、すぐに内部情報表示部３が表示状態になる。
【００４５】
このような発明の第２の実施の形態のワイヤレスマイクロホン装置１によれば、音声信号検出部６に、ワイヤレスマイクロホン装置１に入力された音声信号を所定の時定数τで積分処理する積分処理部９と、積分処理部９から出力される積分出力信号と所定の閾値とを比較して音声信号を検出したか否かの判別を行う検出判別部１０とを設けることにより、ワイヤレスマイクロホン装置１に入力された音声信号を所定の時定数τ（τ１、τ２）で積分処理し、その積分出力信号を所定の閾値レベルＬｓと比較して音声信号の検出を行うことができる。
【００４６】
この積分出力信号の波形は、音声信号の波形に比べて増減変化が少ない滑らかな波形になる。すなわち、音声信号の入力が短時間に激しく変動した場合であっても、積分出力信号の出力レベルの変動は比較的緩やかになる。したがって、積分出力信号の出力レベルを閾値レベルＬｓと比較して音声信号を検出することにより、内部情報表示部３の表示状態と非表示状態の切替えが短時間に頻繁に行われるのを抑制する。これにより、内部情報表示部３の表示・非表示状態の頻繁な切替えによって生じるちらつきの発生を抑えることができる。
【００４７】
また、本発明の第２の実施の形態のワイヤレスマイクロホン装置１では、積分出力信号の出力レベルの増加減少傾向に応じて時定数τの切替えを行う時定数切替え部を設けることにより、積分出力信号の出力レベルの増加減少傾向に応じた内部情報表示部３の液晶表示画面４の表示・非表示状態の切替えが可能となる。
【００４８】
積分出力信号の出力レベルが増加傾向にある場合には、減少傾向にある場合に比べて時定数τを大きく設定する。これにより、使用者が話しを始めて音声入力が連続して安定に行われている場合には、使用者が話し始めてから少し時間が経過した後に積分出力信号の出力レベルが閾値レベルＬｓを超える。したがって、使用者が話しを始めたときに、適度に時間が経過した後に内部情報表示手段が表示状態から非表示状態に自然に切り替わる。
【００４９】
一方、積分出力信号の出力レベルが減少傾向にある場合には、増加傾向にある場合に比べて時定数τを小さく設定する。これにより、使用者が話しを中断して音声入力が途絶えた場合には、使用者が話しを中断した後すぐに積分出力信号の出力レベルが閾値レベルＬｓよりも小さくなる。したがって、使用者が話を中断して内部情報の表示を見ようとしたときに、即座に内部情報表示手段が非表示状態から表示状態に切り替わり、使用者はすぐに内部情報の表示を見ることができる。
【００５０】
さらに、本発明の第２の実施の形態のワイヤレスマイクロホン装置１では、検出されたバッテリー残量に応じて時定数τ１とτ２の切替えを行うことにより、バッテリー７の残量を考慮した消費電力の節減が可能となる。バッテリー残量が多い場合には積分時間の長い時定数τ１を用いて音声信号の積分処理が行われ、バッテリー残量が少ない場合には積分時間の短い時定数τ２を用いて音声信号の積分処理が行われる。これにより、バッテリー残量が少ない場合には、使用者が話しを始めたときにも、すぐに内部情報表示部３が非表示状態にして、消費電力をより効果的に節減することができる。したがって、ワイヤレスマイクロホン装置１のバッテリー７を長持ちさせることができる。
【００５１】
以上、本発明の実施の形態を例示により説明したが、本発明の範囲はこれらに限定されるものではなく、請求項に記載された範囲内において目的に応じて変更・変形することが可能である。
【００５２】
例えば、以上の説明では、バッテリー残量に応じて時定数τを積分時間の長い時定数τ１と積分時間の短い時定数τ２の二段階で切り替える例について説明したが、その他、バッテリー残量に応じて時定数τを三段階以上の複数段で切り替えても同様に実施可能である。その場合には、バッテリーの残量にさらに細かく対応した消費電力の節減が可能となる。
【００５３】
また、以上の説明では、積分処理部をデジタルフィルター（ＩＩＲフィルター）で構成した例について説明したが、その他のアナログの積分器（例えばＣＲ積分回路など）についても同様に実施可能である。
【００５４】
また、以上の説明では、内部情報表示部の表示状態・非表示状態を液晶表示画面の点灯・消灯により実現する例について説明したが、その他、内部情報表示部の非表示状態を液晶表示画面の微点灯（輝度が小さい点灯）により実現することも可能である。
【産業上の利用可能性】
【００５５】
以上のように、本発明にかかるワイヤレスマイクロホン装置は、バッテリーの電力を無駄に消費する機会が低減して、消費電力を節減できるという効果を有し、低消費電力のワイヤレスマイクロホン装置等として有用である。
【図面の簡単な説明】
【００５６】
【図１】本発明の第１の実施の形態におけるワイヤレスマイクロホン装置のブロック図
【図２】本発明の第１の実施の形態におけるワイヤレスマイクロホン装置の正面図
【図３】本発明の第１の実施の形態におけるワイヤレスマイクロホン装置（使用状態）の正面図
【図４】本発明の第２の実施の形態におけるワイヤレスマイクロホン装置のブロック図
【図５】本発明の第２の実施の形態における積分処理部（デジタルフィルター）の説明図
【図６】本発明の第２の実施の形態におけるバッテリー残量および積分出力信号の増加減少傾向に対する時定数の対応表
【図７】本発明の第２の実施の形態における音声信号および積分出力信号に対する内部情報表示部の表示状態・非表示状態の説明図
【符号の説明】
【００５７】
１  ワイヤレスマイクロホン装置
３  内部情報表示部
６  音声信号検出部
８  表示切替え部
９  積分処理部
１０  検出判別部
１１  バッテリー残量検出部
１２  時定数切替え部
τ（τ１、τ２）  時定数
Ｌｓ  閾値レベル
【図１】
2006319615.tif 000003
【図２】
2006319615.tif 000004
【図３】
2006319615.tif 000005
【図４】
2006319615.tif 000006
【図５】
2006319615.tif 000007
【図６】
2006319615.tif 000008
【図７】
2006319615.tif 000009